(57)【要約】【課題】原子力、化学物質、細菌に係る事故や事件の現場で着用者の安全を維持でき作業性の良い防護服を提供し、さらに、熱中性子の遮蔽も可能にした防護服を提供する。【解決手段】防護服１は、フード１１を有し、着用者の頭部から腕および脚までのほぼ全身を密閉するように覆うフード付カバーオール１０と、手を防護する防護手袋２０と、足を防護する防護靴３０と、フード付カバーオール１０の下に着用して体温を維持する体温維持ベスト４０とから成り、フード付カバーオール１０は、耐熱性や耐化学薬品性などを有する素材に撥液撥埃表面加工を施したものとし、体温維持ベスト４０は、所定の温度で相変移して着用者の体温を維持する相変移材を含む素材のものとした。【選択図】図１
2010133772.tif 000002
【特許請求の範囲】
【請求項１】
有毒化学物質や放射性物質、放射線が存在する環境下などで作業する際に着用する防護服であって、
フードを有し、着用者の頭部から腕および脚までのほぼ全身を密閉するように覆うフード付カバーオールと、着用者の手を防護する防護手袋と、着用者の足を防護する防護靴と、前記フード付カバーオールの下に着用して着用者の体温を維持する体温維持ベストとから成り、
前記フード付カバーオール、防護手袋および防護靴は、それぞれ少なくとも耐熱性、耐延焼性、耐熱伝導性、耐輻射熱性、引張り引裂き強度、耐化学薬品性を有する素材に、撥液撥埃表面加工を施して化学薬品や放射性物質の表面付着を防止するものであり、
前記体温維持ベストは、所定の温度で相変移して着用者の体温を維持する相変移材を含む素材を使用することを特徴とする防護服。
【請求項２】
前記フード付カバーオールと前記体温維持ベストとの間に着用する、熱中性子を遮蔽する熱中性子遮蔽ベストと、
着用者の頭部を覆うように前記フード付カバーオールのフードの上から着用する、熱中性子を遮蔽する熱中性子遮蔽ヘッドギアと、を備えたことを特徴とする請求項１に記載の防護服。
【請求項３】
有毒化学物質や細菌を吸着する吸着素材から成り、前記フード付カバーオールと前記体温維持ベストとの間に着用する吸着性インナーと、前記吸着素材から成り、前記フードの内側で頭部を覆うように着用する吸着性ヘッドカバーと、前記吸着性素材から成り、前記防護靴の下に着用する吸着性足カバーと、を備えたことを特徴とする請求項１または２に記載の防護服。
【発明の詳細な説明】
【技術分野】
【０００１】
本発明は、原子力、化学薬品、細菌に係る事故や事件等の際に現場で着用する防護服に関し、特に原子力に関連する事故等の際に着用する防護服に関する。
【背景技術】
【０００２】
原子力に関する事故としては、原子力発電所や放射性物質を取り扱う施設の火災や臨界事故等がある。また、化学物質に関する事故としては、化学工場の火災や運送中のタンクローリーの横転事故等による有毒化学物質の漏洩等がある。また、有毒化学物質が使用された事件としては、松本サリン事件や地下鉄サリン事件が挙げられる。また、細菌に関するものとしては、細菌を扱う研究所からの漏洩事故等が考えられる。さらに、放射性物質、有毒化学物質、細菌などを使用したテロ事件の発生なども皆無とはいえない。
【０００３】
これら何れの場合であっても、その現場で作業をする作業者が着用する防護服には、現場環境における作業者自身の安全を確保できることと同時に、作業性の良いことが求められる。作業性を良くするためには、軽量で嵩張らないことが必要である。また、作業者の安全性と作業性の両面からは、引張・引裂き強度が高いこと、カバーオール型防護服であるだけでなく、外部環境から遮断した防護服内で体温が上昇してしまうことによるヒートストレスの対策も必要である。
【０００４】
例えば、原子力事故の際に着用する放射線防護服としては、特許文献１に記載されたようなものがある。
【０００５】
すなわち、防護服の外服であってその一部または全部に湿分透過素材を使用した外服と、外服の下に着用する、首から上の部分を覆うインナーフードと、インナーフード内で着用者の頭部に被るように形成されたヘッドバンドであって、送気孔が開けられたものと、外服に装着してヘッドバンドに空気を供給するフィルタ付き携帯電動送風機および送気ホースとを有し、湿分透過素材の外服によって外服内の湿分を比較的速く外部環境に排出するとともに、インナーフード内に送風する空気が着用者の熱と汗を取り去ることによってヒートストレスに対応したものである。
【０００６】
【特許文献１】特開平１０−１９７６８８号公報
【発明の開示】
【発明が解決しようとする課題】
【０００７】
しかしながら、このような従来の技術では、外服を完全密閉することと外服内への給気によって外服内の内圧を外部環境よりも高くすることとにより、放射性エアロゾルが外服内に侵入することを防止して内部被ばくを防ぐことはできるが、中性子線による外部被ばくに対しては何らの防護にもならないという問題点があった。
【０００８】
また、放射性エアロゾルが付着したままの外服を長時間にわたって着用した場合には、放射性エアロゾルが発する放射線によって外部被ばくをしてしまうという問題点があった。さらに、このような防護服を有毒化学物質や細菌などが漏洩している事故現場で使用した場合には、有毒化学物質や細菌が外服に付着してしまうおそれがあるので使用することができないという問題点があった。
【０００９】
本発明は、このような従来の技術が有する問題点に着目してなされたもので、原子力、化学薬品、細菌に係る事故や事件の現場で着用者の安全を維持するとともに作業性が良い防護服を提供することを目的とし、さらには、原子力に係る事故等の現場において熱中性子の遮蔽を可能にした防護服を提供することを目的とする。
【課題を解決するための手段】
【００１０】
かかる目的を達成するための本発明の要旨とするところは、次の各項の発明に存する。
［１］  有毒化学物質や放射性物質、放射線が存在する環境下などで作業する際に着用する防護服（１）であって、
フード（１１）を有し、着用者の頭部から腕および脚までのほぼ全身を密閉するように覆うフード付カバーオール（１０）と、着用者の手を防護する防護手袋（２０）と、着用者の足を防護する防護靴（３０）と、前記フード付カバーオール（１０）の下に着用して着用者の体温を維持する体温維持ベスト（４０）とから成り、
前記フード付カバーオール（１０）、防護手袋（２０）および防護靴（３０）は、それぞれ少なくとも耐熱性、耐延焼性、耐熱伝導性、耐輻射熱性、引張り引裂き強度、耐化学薬品性を有する素材に、撥液撥埃表面加工を施して化学薬品や放射性物質の表面付着を防止するものであり、
前記体温維持ベスト（４０）は、所定の温度で相変移して着用者の体温を維持する相変移材を含む素材を使用することを特徴とする防護服（１）。
【００１１】
［２］  前記フード付カバーオール（１０）と前記体温維持ベスト（４０）との間に着用する、熱中性子を遮蔽する熱中性子遮蔽ベスト（５０）と、
着用者の頭部を覆うように前記フード付カバーオール（１０）のフード（１１）の上から着用する、熱中性子を遮蔽する熱中性子遮蔽ヘッドギア（６０）と、を備えたことを特徴とする［１］に記載の防護服（１）。
【００１２】
［３］  有毒化学物質や細菌を吸着する吸着素材から成り、前記フード付カバーオール（１０）と前記体温維持ベスト（４０）との間に着用する吸着性インナー（７１）と、前記吸着素材から成り、前記フード（１１）の内側で頭部を覆うように着用する吸着性ヘッドカバー（７２）と、前記吸着性素材から成り、前記防護靴（３０）の下に着用する吸着性足カバー（７３）を備えたことを特徴とする［１］または［２］に記載の防護服（１）。
【００１３】
前記本発明は次のように作用する。  
化学工場の事故や運送中のタンクローリーの横転事故などによって有毒化学物質が漏洩している事故現場や原子力関連施設の事故等において放射性エアロゾルや放射線が存在している事故現場などの環境下で作業する際に防護服（１）を着用する。
【００１４】
防護服（１）を着用する際は、先ず、通常の衣服の上に体温維持ベスト（４０）を着用し、次にフード付カバーオール（１０）を着用してフード（１１）を被る。この際、必要に応じて適宜にマスクやヘルメットを着用してほぼ全身を密閉する。次に、防護手袋（２０）と防護靴（３０）とを着用する。
【００１５】
これにより、有毒化学物質が漏洩している現場環境において、溶液状の化学物質や固体の化学物質は、撥液撥埃表面加工されたフード付カバーオール（１０）、防護手袋（２０）、および防護靴（３０）に付着せず、防護服（１）内への侵入を防ぐことができる。また、放射性エアロゾルが存在する現場環境下においても同様に撥液撥埃表面加工されたフード付カバーオール（１０）には放射性エアロゾルが付着せず、防護服（１）内への放射性エアロゾルの侵入を防ぐことができる。
【００１６】
フード付カバーオール（１０）、防護手袋（２０）および防護靴（３０）は、それぞれ少なくとも耐熱性・耐延焼性・耐熱伝導性・耐輻射熱性・引張引裂き強度・耐化学薬品性を有しているので、現場が火災をともなう場合にも防護服（１）を着用して作業に当たっている着用者は火炎から守られる。また、フード付カバーオール（１０）の下に着用している体温維持ベスト（４０）は、所定の温度で固体から液体に相変移する相変移材を含む素材から作られているので、着用者の体温の上昇を防止して体温を維持することができ、もって作業中の着用者の安全確保と作業性の向上を図ることができる。所定の温度とは、通常の生活環境における人体の平均的な体温よりも低い温度で、例えば２８℃程度である。
【００１７】
さらに、熱中性子線が発生しているような現場環境においては、防護服（１）を着用する際に、体温維持ベスト（４０）の上に熱中性子遮蔽ベスト（５０）を着用し、その上にフード付カバーオール（１０）を着用する。また、着用者の頭部を覆うようにフード付カバーオール（１０）のフード（１１）の上から熱中性子遮蔽ヘッドギア（６０）を着用する。この際、眼球を放射線から守るためには、マスク（９０）内側に放射線を遮断するような特殊ガラスでできた眼球保護具（２００）を装着しておけばよい。
【００１８】
また、現場環境が有毒化学物質に対してより高度な防護レベルが必要である場合、例えば兵器性の高い有毒化学物質が存在する場合や、細菌に対して高度な防護レベルが必要である場合には、体温維持ベスト（４０）の上に吸着性インナー（７１）を着用し、頭部を覆うように着用する吸着性ヘッドカバー（７２）をフード付カバーオール（１０）のフード（１１）の内側で着用し、吸着性足カバー（７３）を防護靴（３０）の下に着用すればよい。
【００１９】
これにより、万が一、有毒化学物質や細菌を含んだ現場の汚染雰囲気が防護服（１）のフード付カバーオール（１０）内に入っても、吸着性インナー（７１）、吸着性ヘッドカバー（７２）、吸着性足カバー（７３）によってそれらを吸着して無害化してしまうので、着用者の安全は維持される。
【発明の効果】
【００２０】
本発明にかかる防護服によれば、フード付カバーオール、防護手袋、防護靴によって有毒化学物質や放射性エアロゾルの侵入を防止するとともに防護服への付着を防止し、体温維持ベストによって体温の上昇を抑えて維持することができるので、着用者の安全を維持することができるとともに良好な作業性をもたらすことができる。
【００２１】
さらに、熱中性子遮蔽ベストと熱中性子遮蔽ヘッドギアとを併用して着用するとともに熱中性子遮蔽眼球保護具を使用することにより、着用者を熱中性子線による被ばくから守ることができる。
【００２２】
また、吸着性インナー、吸着性ヘッドカバー、および吸着性足カバーを併用して着用することにより、万が一にフード付カバーオール内に有毒化学物質や細菌に汚染された雰囲気が進入しても、有毒化学物質や細菌を吸着し、それら吸着されたものは着用者には無害となるので、有毒化学物質や細菌に対する高度な防護レベルが必要とされる環境下でも着用者の安全を維持することができる。
【発明を実施するための最良の形態】
【００２３】
以下、図面に基づき本発明の好適な一実施の形態を説明する。  
各図は本発明の一実施の形態を示している。図１は、本発明の一実施の形態に係る防護服を全て着用した状態を説明する説明図である。図２は、図１におけるフード付カバーオールを示す正面図である。図３は、図２のフード付カバーオールを背面から見た背面図である。なお、図１の右半分は、フード付カバーオールの下に着用しているものを示している。
【００２４】
図１に示すように、防護服１は、フード１１を有するフード付カバーオール１０、その下に着用する熱中性子遮蔽ベスト５０、その下に着用する吸着性インナー７１、吸着性インナー７１の下に着用する体温維持ベスト４０、フード１１の内側で頭部を覆うように着用する吸着性ヘッドカバー７２、足に履く吸着性足カバー７３、吸着性足カバー７３の上に履く防護靴３０、防護手袋２０、フード付カバーオール１０のフード１１の上から着用する熱中性子遮蔽ヘッドギア６０を適宜に組み合わせて着用することができる。現場で防護服１を着用するときは、現場環境に合わせ適宜に図６および図９に示したようなヘルメット８０、図１０に示したようなマスク９０、図１１に示したような呼吸保護具１００、眼球保護具２００等を着用する。
【００２５】
図１および図２に示したフード付カバーオール１０は、フード１１を有するつなぎ型のものである。このフード付カバーオール１０および防護手袋２０と防護靴３０は、高強度で撥液性、耐延焼性、耐熱伝導性、耐輻射熱性、引張引裂き強度、耐化学薬品性能などに優れ、高機能を発揮する耐熱繊維であるケルメル社が製造しているポリアミド・イミド繊維（ケルメル材）のメタ系アラミド繊維が使用されている。
【００２６】
フード付カバーオール１０は、胴部の前面の開閉部１２で開閉可能になっており、フード付カバーオール１０を着用するときと、脱ぐときには開いておき、着用中は密閉可能に閉じておくことができる。また、フード付カバーオール１０のフード１１の前面には着用時に顔面が露出する部分の周囲にゴムが入っており、顔面の露出面積が絞られる。
【００２７】
これらにより、フード付カバーオール１０は、適宜にヘルメット８０やマスク９０とともに着用したときに、放射性エアロゾルや有毒化学物質によって汚染された汚染雰囲気が防護服１内に侵入することを防止することができる。また、フード付カバーオール１０、防護手袋２０および防護靴３０は、アルミ蒸着が施されており、熱反射性能が高められている。さらに、その上からテフロン加工（「テフロン」はデュポン社の登録商標である。）が施されているので、優れた撥液性と撥埃性を発揮することができる。
【００２８】
図４は、図１における熱中性子遮断ベストを示す正面図であり、図５は、図４の熱中性子遮断ベストを背面から見た背面図である。図４および図５に示す熱中性子遮蔽ベスト５０は、放射線のうち熱中性子線を遮断して、着用者の胴体を熱中性子線による被ばくから防護するためのものである。
【００２９】
熱中性子遮蔽ベスト５０は、フード付カバーオール１０の下に着用するものであり、後述する体温維持ベスト４０の上に着用するものであり、体温維持ベスト４０の上に後述する吸着性インナー７１を着用している場合には、吸着性インナー７１の上に着用するものである。
【００３０】
熱中性子遮蔽ベスト５０は、熱中性子線を遮断するための遮蔽材として、シリコンゴムに炭化ホウ素を添加した素材が用いられている。すなわち、図示した熱中性子遮蔽ベスト５０のカバーの内部には、ほぼ全体に炭化ホウ素を添加したシリコンゴムで作られた不図示の熱中性子線遮蔽板が入っている。
【００３１】
熱中性子遮蔽ベスト５０は、首から股間部下方までと胴体の正面側から脇にかけてとを保護する正面保護部５１および首から股間部下方までと胴体の背面側から脇にかけてとを保護する背面保護部５２とから成る。正面保護部５１と背面保護部５２とは、一方の肩にかかる部分が面ファスナー５３によって開閉可能になっており、胴体の側部を回って繋ぐ面ファスナー５４，５５と、股間の下を回って繋ぐ面ファスナー５６と、首周りを調節するための面ファスナー５７が設けられている。これらの面ファスナー５３〜５７によって着用者の体格にかかわらず効果的にかつ着心地よく着用することができる。面ファスナー５３〜５７は、オスの面ファスナーとし、熱中性子遮蔽ベスト５０のカバーを面ファスナーのメスと同様の機能を有するように処理したものでもよいし、カバーにメスの面ファスナーを設けてもよい。
【００３２】
図１および図６から図８には、着用者の頭部を熱中性子線から防護するための熱中性子遮蔽ヘッドギア６０が示されている。  
熱中性子遮蔽ヘッドギア６０は、図１、図６および図７に示したようにヘルメット８０の内側に取り付けられて着用者の後頭部側から顔面側までを覆う熱中性子防護シコロ６１と、図１および図８に示したようにヘルメット８０の外側に取り付けられてヘルメット８０の全体を覆う熱中性子防護ヘッドカバー６２とから成っている。これらは何れも熱中性子線の遮蔽材として熱中性子遮蔽ベスト５０と同様に炭化ホウ素を添加したシリコンゴムが用いられる。
【００３３】
図７に示したように、熱中性子防護シコロ６１は、湾曲した帯状に形成されている。熱中性子防護シコロ６１は、表面側被覆材６１ａと裏面側被覆材６１ｂとの間に炭化ホウ素を添加したシリコンゴム製の熱中性子遮蔽板６１ｃを挟んで作られている。表面側被覆材６１ａおよび裏面側被覆材６１ｂのうち少なくとも表面側被覆材６１ａは、フード付カバーオール１０と同一の素材が使用されており、同様の表面処理が施されている。
【００３４】
熱中性子遮蔽ヘッドギア６０には、ヘルメット８０に取り付けるための止め部６６が設けられている。この止め部６６は、例えばボタンとして、ヘルメット８０側に設けた不図示のボタンと着脱可能なものである。また、止め部６６をオスまたはメスの面ファスナーとし、ヘルメット８０側にメスまたはオスの面ファスナーを設けて着脱自在にしてもよい。さらに、ねじによってヘルメット８０に固定してもよい。
【００３５】
熱中性子遮蔽ヘッドギア６０の長さは、ヘルメット８０に取り付けて着用者がヘルメット８０を被って熱中性子遮蔽ヘッドギア６０の両端を合わせたときに十分に重なるだけの長さが取られている。熱中性子遮蔽ヘッドギア６０の両端部の一方にはオスの面ファスナーが取り付けられており、もう一方の端部にはメスの面ファスナーが取り付けられている。これにより、熱中性子遮蔽ヘッドギア６０は両端部を合わせた状態に維持することができる。この状態は兜のシコロのように着用者の首から顔面にかけて目の周辺部を除いて全てを覆うことができる。
【００３６】
図８に示した熱中性子防護ヘッドカバー６２は、ヘルメット８０の外側に被せることができるように形成されている。熱中性子防護ヘッドカバー６２は、ヘルメット８０全体を覆うことができる大きさのものであり、その裾にはゴムが通されている。熱中性子防護ヘッドカバー６２をヘルメット８０に着用するときは、ヘルメット８０に被せた熱中性子防護ヘッドカバー６２の裾をヘルメット８０の鍔８１の下まで下げてから離せば、ゴムで絞られて裾がヘルメット８０の鍔８１に掛かって装着される。
【００３７】
図９には、熱中性子防護ヘッドカバー６２を取り付けるヘルメット８０が示されている。ヘルメット８０は鍔８１のあるものである。ヘルメット８０は、鍔８１よりも上の部分を一周するようにヘッドバンド８２を取り付けられるようになっている。ヘッドバンド８２は、内部に炭化ホウ素を添加したシリコンゴム板を入れてあり、熱中性子線を遮断することができる。このヘッドバンド８２は、その側面に取り付けられた面ファスナー８３とヘルメット８０の外側に取り付けられた面ファスナー８４とによってヘルメット８０に取り付けられる。ヘッドバンド８２の両端部にも面ファスナー８４，８５が取り付けられており、両端部をつなげることができる。
【００３８】
なお、熱中性子遮蔽ヘッドギア６０は、熱中性子防護シコロ６１と熱中性子防護ヘッドカバー６２とが別体のものとして示したが、それらを一体に形成したものでもよい。例えば、着用者の頭部を覆うようにフード付カバーオール１０のフード１１の上に着用したヘルメット８０の上から被るように着用するものであってもよい。
【００３９】
なお、熱中性子遮蔽ベスト５０および熱中性子遮蔽ヘッドギア６０には、熱中性子線を遮断するために炭化ホウ素を添加したシリコンゴムを用いたが、酸化ガドリニウム粉末を添加したシリコンゴムや難燃性金属水酸化物と炭化ホウ素とを添加したシリコンゴム等を用いてもよい。
【００４０】
図１に示した吸着性インナー７１、吸着性ヘッドカバー７２、吸着性足カバー７３は、有毒化学物質や細菌を吸着することができる同一の吸着性素材によって作られている。その素材としては、基布と外層布との間に球状活性炭を使用した球状活性炭フィルターを挟んだものである。この球状活性炭フィルターは、有毒化学物質や放射性エアロゾルを吸着することができる。この球状活性炭フィルターは、例えば有毒化学物質であるサリン、ブタン、ソマン、ＶＸ等を吸着することができるが、これら有毒化学物質を吸着した球状活性炭フィルターに手で触れてもそれらが直接に手に触れることがない。したがって、それら有毒化学物質が実質的に無害化したのと同様の効果が発揮される。
【００４１】
この球状活性炭フィルターを狭持する基布と外層布は、球状活性炭フィルターの吸着性の維持や着用時の肌触りなどからニット材が好ましい。ただし、基布および外層布はニット材に限定されるものではなく、通気性の良いものであればよい。
【００４２】
吸着性インナー７１は、長袖長ズボンのつなぎ服のタイプが好ましい。また、吸着性ヘッドカバー７２は、頭から被り、吸着性インナー７１の襟まで達するものが好ましい。吸着性ヘッドカバー７２は、マスク着用時のスペースを確保するために、目から口にかけて露出するように開いており、その開いた部分の周縁にはゴムが通されている。これにより、マスク９０を着用したときに、開いた部分がゴムによって絞られてマスク９０と吸着性ヘッドカバー７２とが密接する。足に履く吸着性足カバー７３は、着用したときに吸着性インナー７１の裾よりも十分に高い位置まで達するようにハイカットされている。
【００４３】
図１に破線で示した体温維持ベスト４０は、所定の温度を越えると熱を吸収して固体から液体に相変移する相変移材を含む素材から作られている。これにより、着用者の体温が上昇するような条件下でも熱を吸収することにより、体温を維持することができる。所定の温度とは、通常の生活環境における人体の平均的な体温よりも低い温度で、例えば２８℃程度である。
【００４４】
図１０に示したものは、防護服１を着用する際に、現場環境の状態によって必要であれば着用するマスク９０である。また、図１１に示したものは、防護服１を着用する際に、現場環境の状態によって必要であればマスク９０とともに使用する呼吸保護具１００であり、高圧空気ボンベ１０１を備えたものである。
【００４５】
なお、熱中性子に晒される現場環境では、図１に示したようにマスク９０内に熱中性子を遮蔽するようなホウケイ酸ガラスでできた眼球保護具２００を設けておく。
【００４６】
次に作用を説明する。  
本実施の形態に係る防護服は、化学物質の漏洩している現場や放射性エアロゾルが存在したり放射線に晒されたりするような現場、細菌が漏洩している現場等における作業をする際に適宜に組み合わせて着用し、着用者の安全を確保しながら作業性を維持することができる。
【００４７】
第１の例とし、化学工場の事故や運送中のタンクローリーの横転事故などによって有毒化学物質が漏洩している事故現場や原子力関連施設の事故等の場合であって、放射性エアロゾルや放射線に晒される事故現場などの環境下で作業する場合には、体温維持ベスト４０、フード付カバーオール１０、防護手袋２０、防護靴３０を図９に示したマスク９０に不図示のフィルターを装着したものとともに着用する。また、現場環境によっては、マスク９０と図１１に示した呼吸保護具１００とを組み合わせて使用する。
【００４８】
防護服１を着用するに際し、体温維持ベスト４０は通常の衣服の上に着用することができる。次にフード付カバーオール１０の開閉部１２を開いてフード付カバーオール１０に腕と脚を入れて着用してから開閉部１２を閉じる。次に、防護靴３０を着用し、マスク９０を着けてからフード１１を被る。この際、フード１１は顔面が露出する部分の周囲に通してあるゴムが縮んで露出部分が絞られるとともに、フード１１とマスク９０との間が密閉される。最後に、防護手袋２０を着用する。
【００４９】
このような組合せで着用した防護服１は、有毒化学物質が漏洩している現場環境において、溶液状の化学物質や固体の化学物質は、テフロン加工による撥液撥埃表面加工されたフード付カバーオール１０、防護手袋２０、および防護靴３０に付着せず、また、密閉された防護服１内への侵入が妨げられる。また、放射性エアロゾルが存在する現場環境下においても同様に撥液撥埃表面加工されたフード付カバーオール１０には放射性エアロゾルが付着せず、防護服１内への放射性エアロゾルの侵入を防ぐことができる。
【００５０】
フード付カバーオール１０、防護手袋２０および防護靴３０は、それぞれ耐熱性、耐延焼性、耐熱伝導性、耐輻射熱性、引張引裂き強度、耐化学薬品性を有する素材の上にアルミ蒸着を施してあるので、より高い輻射熱性能も有している。これにより、現場が火災をともなう場合にも作業に当たっている着用者を火炎や熱から守ることができる。また、現場が火災をともなう場合や火災の発生がなくても高温環境下にある場合には、フード付カバーオール１０の下に着用している体温維持ベスト４０が着用者の体温やフード付カバーオール１０内の熱を吸収するので着用者の体温の上昇を防止することができる。これにより、作業中の着用者の安全が確保できるとともに作業性の向上を図ることができる。
【００５１】
次に、第２の例として、熱中性子線が発生しているような現場環境の場合には、前記の防護服１の着用に加えて、体温維持ベスト４０の上に熱中性子遮蔽ベスト５０を着用する。この熱中性子遮蔽ベスト５０は、体温維持ベスト４０の上に着用する。また、着用者の頭部を覆うようにフード付カバーオール１０のフード１１の上から熱中性子遮蔽ヘッドギア６０を取り付けたヘルメット８０を着用する。すなわち、熱中性子防護シコロ６１や熱中性子防護ヘッドカバー６２を取り付けたヘルメット８０を着用する。この際、眼球を熱中性子から守るために、マスク９０の中に熱中性子を遮断するホウケイ酸ガラスのような特殊ガラスでできた眼球保護具２００を装着する。これにより、防護服１の着用者は、熱中性子による被ばくを避けることができる。
【００５２】
また、第３の例として、現場環境に兵器性の高い有毒化学物質が存在するような一層に高度な防護レベルが必要である場合や、細菌に対して高度な防護レベルが必要である場合に対処する場合には、前記第１の例で着用した組み合わせの防護服１にさらに、体温維持ベスト４０の上に吸着性インナー７１を着用し、吸着性ヘッドカバー７２を着用して頭部を覆い、吸着性足カバー７３を履いた上にフード付カバーオール１０を着用し、防護手袋２０および防護靴３０を着用すればよい。
【００５３】
これにより、万が一、有毒化学物質や細菌を含んだ現場環境の空気が防護服１のフード付カバーオール１０内に入っても、吸着性インナー７１、吸着性ヘッドカバー７２、吸着性足カバー７３によって有毒化学物質や細菌を吸着してしまうので、着用者の安全は維持される。
【００５４】
なお、現場の状況によっては、第２の例の場合に着用した熱中性子遮蔽ベスト５０および熱中性子遮蔽ヘッドギア６０を取り付けたヘルメット８０を着用しても良いことは言うまでもない。
【００５５】
なお、上記の説明では、フード付カバーオール１０がフード１１と一体となったものについて説明したが、図１２に示すようにフード付カバーオール１０と同一素材のものでフード１１が一体となっていないカバーオール１１０にしてもよい。
【図面の簡単な説明】
【００５６】
【図１】本発明の一実施の形態に係る防護服を全て着用した状態を説明する説明図である。
【図２】図１におけるフード付カバーオールを示す正面図である。
【図３】図２のフード付カバーオールを背面から見た背面図である。
【図４】図１における熱中性子遮断ベストを示す正面図である。
【図５】図４の熱中性子遮断ベストを背面から見た背面図である。
【図６】熱中性子遮蔽ヘッドギアの熱中性子防護シコロを取り付けたヘルメットを示す図であり、（Ａ）は正面図であり、（Ｂ）は側面図である。
【図７】図６の熱中性子防護シコロを示す図であり、（Ａ）は表面を示す平面図であり、（Ｂ）は裏面を示す底面図であり、（Ｃ）は内部を示す図である。
【図８】図１における、ヘルメットに装着する熱中性子防護ヘッドカバーを示す図であり、（Ａ）は正面図であり、（Ｂ）は側面図である。
【図９】ヘルメットとヘルメットに取り付けるヘッドバンドを示す図であり、（Ａ）は、ヘッドバンドを取り付けたヘルメットの正面図を示し、（Ｂ）は、ヘッドバンドを取り付けたヘルメットの側面図を示し、（Ｃ）は、ヘッドバンドをはずしてあるヘルメットの正面図を示し、（Ｄ）は、ヘッドバンドをはずしてあるヘルメットの側面図を示し、（Ｅ）は、ヘッドバンドの両面を示す図である。
【図１０】使用状態によって図１の防護服と組み合わせて使用するマスクを示す斜視図である。
【図１１】使用状態によって図１の防護服と組み合わせて使用するマスクを示す斜視図である。
【図１２】フードと一体ではないカバーオールの正面側と背面側を例示する図である。
【符号の説明】
【００５７】
１…防護服
１０…フード付カバーオール
１１…フード
１２…開閉部
２０…防護手袋
３０…防護靴
４０…体温維持ベスト
５０…熱中性子遮蔽ベスト
５１…正面保護部
５２…背面保護部
５３，５４，５５，５６，５７…面ファスナー
６０…熱中性子遮蔽ヘッドギア
６１…熱中性子防護シコロ
６１ａ…表面側被覆材
６１ｂ…裏面側被覆材
６１ｃ…熱中性子遮蔽板
６２…熱中性子防護ヘッドカバー
６６…止め部
７１…吸着性インナー
７２…吸着性ヘッドカバー
７３…吸着性足カバー
８０…ヘルメット
８１…鍔
８２…ヘッドバンド
８３，８４，８５…面ファスナー
９０…マスク
１００…呼吸保護具
１０１…高圧空気ボンベ
１１０…カバーオール
２００…眼球保護具
【図１】
2010133772.tif 000003
【図２】
2010133772.tif 000004
【図３】
2010133772.tif 000005
【図４】
2010133772.tif 000006
【図５】
2010133772.tif 000007
【図６】
2010133772.tif 000008
【図７】
2010133772.tif 000009
【図８】
2010133772.tif 000010
【図９】
2010133772.tif 000011
【図１０】
2010133772.tif 000012
【図１１】
2010133772.tif 000013
【図１２】
2010133772.tif 000014